(57)【要約】本発明は、新規な殺虫性の動物用耳タグ、首輪またはペンダント、および恒温動物において昆虫を制御するための方法を提供する。本発明の耳タグ、首輪またはペンダントは、１部品の形態であっても、２部品の耳タグの形態であっても、いずれでもよく、本発明の耳タグ、首輪またはペンダントは、屋外に存在する曲げおよび応力の圧力に長期間にわたって耐え、これによって、耳タグ、首輪またはペンダントの破損および紛失を減少させる。【特許請求の範囲】
【請求項１】
動物用の耳タグ、首輪またはペンダントであって、重量基準で、約４０％〜約９０％の熱可塑性樹脂；および約１％〜約３０％のメタフルミゾンを含有する、動物用の耳タグ、首輪またはペンダント。
【請求項２】
前記耳タグが、天然布、合成布、天然繊維メッシュ、合成繊維メッシュ、ワイヤメッシュ、またはポリ塩化ビニルのポリマーもしくはコポリマーの固体分散物から製造されている、請求項１に記載の耳タグ、首輪またはペンダント。
【請求項３】
重量基準で、約０．０％〜約４．０％の加工安定剤；約０．２％〜約１０．０％の潤滑剤；約０．３％〜約０．５％のキレート剤；
約１％〜約２．５％の加熱加工安定剤：
約０％〜約５．０％の流動剤；
約０％〜約３５．０％の殺虫相乗剤および移動促進因子；
約５．０％〜約２５．０％の可塑剤または可塑剤混合物；
約０．５％〜約２．０％の着色剤；ならびに
約０％〜約３０％の１種以上のさらなる殺虫剤、
をさらに含有する、請求項１または２に記載の動物用の耳タグ、首輪またはペンダント。
【請求項４】
前記組成物が、天然布、合成布、天然繊維、合成繊維、もしくはワイヤのメッシュマトリックス、またはポリ塩化ビニルのポリマーもしくはコポリマーの固体分散物に、含浸またはコーティングされている、請求項１、２または３に記載の耳タグ、首輪またはペンダント。
【請求項５】
前記成分が、押出し成型または同時押出し成型によって製造されている、請求項１に記載の耳タグ、首輪またはペンダント。
【請求項６】
前記熱可塑性樹脂が、ポリ塩化ビニル樹脂である、請求項１、２または３に記載の耳タグ、首輪またはペンダント。
【請求項７】
アミトラズをさらに含有する、請求項３に記載の耳タグ、首輪またはペンダント。
【請求項８】
局所環境において昆虫を制御するための方法であって、該方法は、動物に、請求項１、２または３の組成物を含有する耳タグ、首輪またはペンダントを接触させる工程を包含する、方法。
【発明の詳細な説明】
【技術分野】
【０００１】
（発明の背景）
本発明は、昆虫を制御するためのデバイスおよび方法に関する。
【背景技術】
【０００２】
昆虫を制御するために使用されている、最近開発された多くの技術は、殺虫剤をゆっくりと放出する技術を包含する。最終デバイスの基材全体に殺虫剤が含まれている、害虫ストリップ（ｐｅｓｔ  ｓｔｒｉｐ）、首輪、バンド、およびタグの使用は、特許文献１、特許文献２、特許文献３、特許文献４および特許文献５に記載されている。特許文献５は、β−シアノ−３−フェノキシ−ベンジル−α−イソプロピル−４−クロロフェニルアセテートの、殺虫活性のある異性体を含有する、昆虫制御デバイスを記載する。特許文献６は、殺虫剤の組み込みを可能にする、コーティングされたデバイスを記載する。これらの殺虫剤は、押出し成型および射出成型によって調製されたデバイスへの組み込みには適さなかった。
【０００３】
過去数年にわたる、殺虫性の動物用耳タグ、首に装着される首輪およびペンダントなどのデバイスの、増加している人気の結果として、これらの使用が増加するにつれて明らかになる問題を克服するための、改善されたデバイスを開発するかなりの努力がなされている。設計、組成、および製造技術の改善が、破損および紛失などの問題を克服するため、ならびに効力および適用の容易さを改善するために、絶えず求められている。破損および紛失は、特許文献７に記載されているような耳タグにおいて、それらのサイズ、設計および装着方法に起因して起こり、これは、屋外で長期間にわたって曲げおよび応力に曝露されるタグの部分において起こる。さらに、プラスチックタグの破損および弱化は、ポリマーマトリックスを実際に弱化させ得る活性成分または活性成分混合物の組み込みから生じ得る。さらに、活性成分の特定の特徴は、この活性成分が、ポリマーマトリックス中でその殺虫活性を維持することを確実にするために、注意を必要とする。
【０００４】
得られる耳タグの弱化および破壊を生じる、重合プロセスまたは製造プロセスに伴うか、あるいは重合プロセスまたは製造プロセスの間の、活性成分の干渉または分解は、動物用耳タグの調製における大きな問題の領域である。活性成分の濃度の増加は、得られるプラスチックタグの強度に対する制限因子である。
【特許文献１】米国特許第３，３１８，６７９号明細書
【特許文献２】米国特許第３，９４４，６６２号明細書
【特許文献３】米国特許第３，７５６，２００号明細書
【特許文献４】米国特許第３，９４２，４８０号明細書
【特許文献５】米国特許第４，１９５，０７５号明細書
【特許文献６】米国特許第５，１０４，５６９号明細書
【特許文献７】米国特許第３，７３１，４１４号明細書
【発明の開示】
【発明が解決しようとする課題】
【０００５】
本発明の目的は、上記限定によって制限されない組成物およびデバイスを提供することである。
【課題を解決するための手段】
【０００６】
（発明の要旨）
本発明は、有効量のメタフルミゾン（ｍｅｔａｆｌｕｍｉｚｏｎｅ）を含有する、恒温動物において使用するための耳タグ、首輪またはペンダントの形態の組成物を提供する。
【０００７】
この耳タグは、１部品の形態であっても、２部品の耳タグの形態であっても、いずれでもよく、この耳タグは、屋外に存在する曲げおよび応力の圧力に長期間にわたって耐え、これによって、耳タグの破損および紛失を減少させる。これらの耳タグ、首輪またはペンダントは、有利には、高濃度のメタフルミゾンを保有し得、これによって、これらの効力および活性スペクトルを増加させる（特に、放牧されているか、または他の様式で野外領域で過ごすウシ、イヌ、ネコおよび他の恒温動物を悩ます昆虫について）。本発明の２部品の動物用耳タグのさらなる利点は、殺虫剤が交換を必要とされるごとに動物の耳に再穿孔する必要なく、第二の構成要素が交換され得ることである。１つの実施形態において、本発明は、約４０％〜約９０％の熱可塑性樹脂；および約１％〜約３０％のメタフルミゾンを含有する、動物用の耳タグ、首輪またはペンダントである。必要に応じて、０．０％〜４．０％の加工安定剤；０．２％〜１０．０％の潤滑剤；０．３％〜０．５％のキレート剤；１％〜２．５％の加熱加工安定剤；０％〜５．０％の流動剤；０％〜３５．０％の殺虫相乗剤および移動促進因子；５．０％〜２５．０％の可塑剤または可塑剤混合物；０．５％〜２．０％の着色剤；ならびに０％〜３０％の１種以上のさらなる殺虫剤もまた、添加され得る。さらなる実施形態において、この組成物は、天然布、合成布、天然繊維、合成繊維、天然ワイヤもしくは合成ワイヤのメッシュマトリックス成分、またはポリ塩化ビニルのポリマーもしくはコポリマーの固体分散物に、含浸またはコーティングされて、耳タグ、首輪またはぶら下がるペンダントデバイスを形成し得る。
【発明を実施するための最良の形態】
【０００８】
（発明の詳細な説明）
２部品の耳タグデバイスまたはペンダントにおいて、動物に取り付けられるように構成される第一の構成要素は、適切なサイズおよび強度の、事実上任意の材料から構成され得る。好ましくは、第一の構成要素は、熱可塑性樹脂（例えば、ポリ塩化ビニル樹脂およびポリウレタンエラストマー）、または含浸された布、生地もしくは他の材料から製造される。
【０００９】
本発明の２部品の耳タグまたはペンダントの実施形態のために適切なピン、クリップまたはリングは、耳タグまたはペンダントを適切な位置に保持することを条件として、差込型のシステムのものを含めて任意の設計のものであり得る。ピンを固定するための手段が、必要に応じて使用され得、そしてこの手段は、その設計の一体的な部品であっても、独立したユニットであっても、いずれでもよい。米国特許第３，７３１，４１４号（これは、本明細書中に参考として援用される）は、本発明のために適切な、動物の耳に取り付ける好ましい手段を開示する。
【００１０】
メタフルミゾンを保有する構成要素は、通常、重量基準で、約４０％〜９０％のポリ塩化ビニルまたは他の熱可塑性樹脂、および約１％〜３０％のメタフルミゾンで構成される。ポリ塩化ビニルまたは選択される他の熱可塑性樹脂の特徴に依存して、他の任意の成分は、約０．０％〜約４．０％の加工安定剤（例えば、エポキシ化ダイズ油）；約０．０２％〜約１０．０％の潤滑剤（例えば、ステアリン酸）；約０．３％〜約０．５％のキレート剤（例えば、トリノニルホスファイト）；約０１％〜約２．５％の加熱加工安定剤（例えば、ステアリン酸カルシウム亜鉛）；約０％〜約５．０％の流動剤（例えば、ＳｉＯ２）；約０％〜約３５．０％の殺虫相乗剤および移動促進因子（例えば、ピペロニルブトキシド）；約０％〜約２５．０％の可塑剤または可塑剤混合物（例えば、ジオクチルフタレート、ベンジルブチルフタレート、ジブチルフタレート、クエン酸エステル、アジペートまたはセバケート）；ならびに約１％〜約３０％のさらなる殺虫剤（例えば、アミトラズ、フィプロニル（ｆｉｐｒｏｎｉｌ）、イミダクロプリド（ｉｍｉｄａｃｈｌｏｐｒｉｄ）、ペルメトリン、ピレトリン（ｐｙｒｅｔｈｒｉｎ）、ピペロニルブトキシド、クロルフェナピル（ｃｈｌｏｒｆｅｎａｐｙｒ）またはフェノトリン（ｆｅｎｏｔｈｒｉｎ））を含有し得る。所望であれば、特に、メタフルミゾン保有デバイスでの動物の区別を提供するために、約０．５％〜約２．０％の量で、着色剤が添加され得る。
【００１１】
メタフルミゾンは、新たな殺虫剤であり、米国特許第５，５４３，５７３号および米国特許出願公開第２００４−０１２２０７５号（両方が、本明細書中に参考として援用される）に記載されている。
【００１２】
メタフルミゾン保有構成要素は、好ましくは第一の構成要素とは異なる材料から、製造され得る。このメタフルミゾン保有構成要素は、マトリックス（例えば、天然もしくは合成の布もしくは生地メッシュ（例えば、ポリアラミドもしくはポリエステル）、ワイヤメッシュ、またはポリ塩化ビニルのポリマーもしくはコポリマーの固体分散物）上に、メタフルミゾン−樹脂組成物を、このマトリックスにコーティングするか、押出し成型するか、同時押出し成型するか、または含浸することによって、製造され得る。
【００１３】
メタフルミゾン保有構成要素は、乾燥成分をブレンダー内で混合し、この混合物をブレンドしながら８０℃〜１２０℃の範囲の温度で加熱し、そして液体成分の混合物をゆっくりと添加して、比較的乾燥したブレンドが得られるまで混合することにより、乾燥成分のブレンドを調製することによって、製造され得る。得られた均質なブレンドは、混合しながら、そして必要に応じて、ＳｉＯ２を添加してブレンドしながら冷却されて、均質な乾燥ブレンドが得られ、この乾燥ブレンドは、次いで、マトリックス上に成型されるか、押出し成型されるか、または同時押出し成型され得、あるいはこの乾燥ブレンドは、次いで、押出し成型によってペレット化され、次いで、このペレット化された乾燥ブレンドが、上記のように、必要に応じてマトリックス上に成型されるか、押出し成型されるか、または同時押出し成型され、そして所望の形状に打ち抜きまたは切断される。あるいは、メタフルミゾン保有構成要素は、米国特許第５，１０４，５６９号（これは、本明細書中に参考として援用される）に開示されるように、マトリックスを、活性成分を含有するビニル分散物でコーティングまたは浸漬することによって、調製され得る。さらに、メタフルミゾン保有構成要素は、１種以上のセクションを備え得る。個々のセクションは、同じ成分からなっても異なる成分からなってもよく、そしてまた、活性成分の異なる放出速度を提供し得る。このような第二の構成要素は、単一のセクションにおいては適合性ではない活性成分の適用、および活性成分の混合物を同じ速度または異なる速度で送達するための代替的な方法を可能にする。
【００１４】
いくつかの用途について、一片の設計の、含浸されたか、コーティングされたか、押出し成型されたか、または同時押出し成型された布マトリックスタグの使用は、従来の一片の成型されたタグより優れた数個の利点を与えることが見出された。殺虫活性成分または殺虫活性成分混合物を含有する組成物が、天然もしくは合成の布もしくは繊維メッシュ、またはワイヤメッシュのマトリックス上に製造される場合、その結果は、破損しにくいより強い耳タグであり、従って、より広い範囲の組成物が、このタグに組み込まれることを可能にする。また、一片のマトリックスの動物用耳タグは、プラスチックの成型された耳タグのように、耳への取り付けの手段が制限されない。このようなマトリックス材料はまた、首輪またはペンダントに、適切に形成される。
【００１５】
本発明は、以下の非限定的な実施例によって、さらに説明される。本明細書中に示される第一の構成要素または第二の構成要素は、異なる形状およびサイズを含めて、全ての設計改変を包含することが意図される。
【実施例】
【００１６】
（実施例１）
（単一構成要素の耳タグまたは首輪の調製）
（乾燥ブレンド）
種々の組成の乾燥ブレンドを、以下の表Ｉに列挙される成分を利用して、固体成分を、均質な混合物が得られるまでブレンドし、次いで、この混合物を８５℃まで加熱することによって、調製する。次いで、液体成分の混合物を、この攪拌混合物にゆっくりと添加する。全ての液体がこの混合物に添加されたら、この混合物を１１０℃まで加熱し、そして１０分間攪拌する。この攪拌ブレンドを７０℃まで冷却し、そして充分なＳｉＯ２を添加して、自由に流動する乾燥ブレンドを得る。次いで、この乾燥ブレンドを、周囲温度まで冷却し、そして収集する。
【００１７】
【表１】
2008541724.tif 000002
（Ｂ．ペレット化）
上記Ａにおいて調製された組成物を、標準的な低せん断押出し成型器を使用して、高温（通常は、３００°Ｆ〜３５０°Ｆの範囲）でペレット化し得る。次いで、得られた押出し成型材料を、エアチョッピングによって望ましいサイズに切断し、そして得られたペレットを包装する。
【００１８】
（Ｃ．射出成型）
上記Ｂにおいて調製されたペレットを、３５０トンプレス機に入れ、そしてその温度および時間のプロフィールを、２０秒間で３２５°Ｆに設定する。上記組成物を、射出成型によって望ましいサイズに成型するか、または押出し成型し、そして得られた成分を包装する。
【００１９】
単相の耳タグを調製する別の方法は、以下の成分を室温で乾燥ブレンドすることである。
【００２０】
【表２】
2008541724.tif 000003
これらの成分を、リボンブレンダーなどの適切なミキサーで乾燥ブレンドした後に、一軸押出し成型機または二軸押出し成型機に移し、次いで、これを射出成型デバイスに供給して、所望の形態または構成に成型する。
【００２１】
（実施例２）
（布マトリックスメタフルミゾン成分の調製）
メタフルミゾン保有構成要素を、実施例１Ａに記載されたように調製された乾燥ブレンド（１００部のＰＶＣあたり５４重量部のメタフルミゾン、および１８重量部の数種の可塑剤を含有する）を使用して、調製した。これらの乾燥ブレンドをペレット化し、そして布マトリックス上に押出し成型し、打ち抜き、そして所望の形状にダイカットして、約８グラムの重量の殺虫性分を与える。
【００２２】
（実施例３）
（メタフルミゾンコーティング組成物の調製）
アセチルトリブチルシトレート１８０ｇを、１．２０の固有粘度および０．９５ミクロンの平均粒子サイズを有する３００ｇのビニル樹脂と、必要に応じて６ｇのステアリン酸Ｃａ／Ｚｎと９ｇのエポキシ化ダイズ油との攪拌混合物に添加する。この攪拌混合物に、１００ｇのメタフルミゾン（純度９０％）を添加する。得られた混合物を、均質になるまで攪拌し、次いで、室温で６８６ｍｍ／Ｈｇで一晩脱気する。
【００２３】
（実施例４）
（メタフルミゾンを含有する２片タグのメタフルミゾン含有成分の調製）
固体マトリックスを、１００℃まで予熱し、そして実施例２において調製された殺虫コーティング組成物に浸漬する。得られたコーティングされた成分を９０℃〜１３５℃のオーブン内で、５分間〜８分間硬化させ、１．７ｇ〜２．８６ｇのメタフルミゾンコーティング組成物を含む、コーティングされたマトリックスを得る。
【００２４】
（実施例５）
（メタフルミゾンを含有するコーティングされたマトリックスの調製）
（ａ）ビニル分散物を、実施例３の手順および以下の表ＩＩに列挙される材料を利用して、調製する。
【００２５】
【表３】
2008541724.tif 000004
（ｂ）次いで、メタフルミゾンを実施例５（ａ）において調製されたビニル分散物に添加し、そして均質になるまでブレンドすることによって、メタフルミゾンコーティング組成物を調製し得る。次いで、得られた混合物を６８６ｍｍ／Ｈｇの減圧で１６時間脱気して、コーティングされた耳タグデバイスを調製するために適切なメタフルミゾン組成物を得る。
【００２６】
（ｃ）次いで、コーティングし、そして得られたコーティングされたマトリックスを９０℃〜１３５℃で２分間〜１０分間硬化させることによって、耳タグ型昆虫制御デバイスを調製し得る。
【００２７】
（実施例６）
（メタフルミゾンおよび種々の他の殺虫剤を含有する、同時押出しされた二層のウシ用耳タグ）
二層の耳タグの調製のための別の方法は、乾燥ブレンドされた２つの組成物（一方は、メタフルミゾンを含有する）、および別個に、別の殺虫剤（例えば、アミトラズ、フィプロニル、イミダクロプリド、ペルメトリン、ピレトリン、ピペロニルブトキシド、クロルフェナピル、フェノトリンであるが、これらに限定されない）を含有する乾燥ブレンドを調製することである。
【００２８】
これらの層の各々は、類似の様式で調製される：
層１
修飾ＰＶＣ  Ｓｕｐｅｒｋｌｅｅｎ（登録商標）
ポリ塩化ビニル樹脂（Ａｌｐｈａ  Ｇａｒｙにより販売される）  １００部
メタフルミゾン  １０部〜４０部
着色剤（必要な場合）  ０部〜１部
層２
修飾ＰＶＣ  Ｓｕｐｅｒｋｌｅｅｎ（登録商標）
ポリ塩化ビニル樹脂（Ａｌｐｈａ  Ｇａｒｙにより販売される）  １００部
アセチルトリブチルシトレートまたは別の認容可能な可塑剤  ３０部
アミトラズ  １０部〜３０部
着色剤（必要な場合）  １部
これらの層の各々を、リボンブレンダーなどのデバイス中で別々にブレンドする。各組成物を、二重供給押出し成型機に充填し、次いで、この押出し成形機で、一軸押出し成型機または二軸押出し成型機が、射出成型デバイスに供給する。このスクリュー押出し成形機は、各段階で別々に作動する。次いで、得られる融解したマトリックスを、鋳型（この鋳型は、厚さおよび耳タグの総重量について適切な寸法を有する耳タグとして構成される）内に射出し得、減圧下で形成され得、次いで、冷却のために排出され、そして室温で硬化され得る。
【００２９】
（実施例７）
（ポリエステル布上への押出し成型による一片マトリックスの動物用耳タグの調製）
２種類の乾燥ブレンド（重量基準で、１００部のＰＶＣ、１８．８８部のエポキシ化ダイズ油、０．５４部のステアリン酸、０．６５部のトリノニルホスフェート、１．９６部のステアリン酸Ｃａ／Ｚｎ、０．４４部のＨＹＰ２１２、０．７６部のＨＹＰ２１１、２．０部のＨＷ１３２、０．６５部のＵＩＶ安定剤、３０部のメタフルミゾン；および一方のブレンドは、１８部のベンジルブチルフタレート（ＢＢＰ）、または他方のブレンドは、１８部のアセチルトリブチルシトレート（ＡＴＢＣ）を含有する）を、実施例１の手順によって調製する。これらの乾燥ブレンドの各々を、融解物をプロフィールダイに通して布メッシュマトリックス上に同時押出し成型することによって、この布メッシュマトリックス上にコーティングする。得られた含浸されたマトリックスを、標準的な一片の動物用耳タグ（約８．５グラムの重量）の形状に切断する。
【００３０】
これらの殺虫耳タグを、１２インチ×０．１７インチ×９インチの空間内にハエを閉じ込めるようにメッシュ布で覆ったチャンバ内に吊り下げる。各チャンバに、１杯の水を入れ、そして砂糖および粉ミルクを供給する。
【００３１】
この試験の開始時に、約１０３日齢〜約１０５日齢のイエバエを、各チャンバに入れる。これらのチャンバを、８２°Ｆの温度で室内に維持する。これらのハエを毎日（土曜日および日曜日を除く）観察し、そして死亡率を記録する。この研究の終了時に、これらのチャンバを冷凍庫に入れて、残りのハエを殺傷し、これらのハエの数を計数する。死亡率の百分率を、観察の間に死亡したハエの数と、この研究の終了時に計数したハエの数とに基づいて計算する。
【国際調査報告】
2008541724.tif 000005
2008541724.tif 000006
2008541724.tif 000007
2008541724.tif 000008